(57)【要約】【課題】フルセグ放送及びワンセグ放送の番組情報を利用し、現在視聴中の受信モードの番組と異なる番組が他の受信モードで放送されている場合に、他の受信モードの番組情報を報知することにより、ユーザの選択機会が増え、利便性の高いデジタル放送受信装置等を提供すること。【解決手段】チューナ部５０と、メディアデコーダ部６０とを備えており、メディアデコーダ部６０は、ＴＳから移動体向け放送であるワンセグ放送の番組と、ＴＳから固定テレビ向け放送であるフルセグ放送の番組とをデコードする。そして、ＴＳからフルセグ放送及びワンセグ放送の番組に関する番組情報を取得し、フルセグ放送の番組情報と、ワンセグ放送の番組情報とが異なる場合に、ワンセグ放送を出力中の場合はフルセグ放送の番組情報を、フルセグ放送を出力中の場合はワンセグ放送の番組情報をそれぞれ報知する。【選択図】図１
2010045494.tif 000002
【特許請求の範囲】
【請求項１】
デジタル放送を選局し、番組と番組情報とを含むＴＳ（トランスポートストリーム）を出力するチューナ部と、前記チューナ部により出力されたＴＳに基づいて番組の映像及び音声をデコードし出力するデコーダ部とを備えたデジタル放送受信装置であって、
前記デコーダ部は、ＴＳから移動体向け放送であるワンセグ放送の番組をデコードするワンセグデコード部と、ＴＳから固定テレビ向け放送であるフルセグ放送の番組をデコードするフルセグデコード部を有し、
ＴＳからフルセグ放送及びワンセグ放送の番組に関する番組情報を取得する番組情報取得部と、
前記番組情報取得部により取得されたフルセグ放送の番組情報と、ワンセグ放送の番組情報とが異なる場合に、ワンセグ放送を出力中の場合はフルセグ放送の番組情報を、フルセグ放送を出力中の場合はワンセグ放送の番組情報をそれぞれ報知する報知部と、
を備えることを特徴とするデジタル放送受信装置。
【請求項２】
前記報知部は、フルセグ放送の番組情報と、ワンセグ放送の番組情報とが異なる場合のみ、ワンセグ放送を出力中の場合はフルセグ放送の番組情報を、フルセグ放送を出力中の場合はワンセグ放送の番組情報をそれぞれ報知し、サイマル放送の場合には報知を行わないことを特徴とする請求項１に記載のデジタル放送受信装置。
【請求項３】
前記番組情報は、フルセグ放送及びワンセグ放送の番組の番組名であり、
前記報知部は、ワンセグ放送を出力中の場合はフルセグ放送の番組名を、フルセグ放送を出力中の場合はワンセグ放送の番組名をそれぞれ報知することを特徴とする請求項１又は２に記載のデジタル放送受信装置。
【請求項４】
前記番組情報は、フルセグ放送及びワンセグ放送の番組の放送時間が含まれており、
前記番組情報取得部は、現在の時刻が前記番組情報に含まれるフルセグ放送の番組の終了時刻又はワンセグ放送の番組の終了時刻となったときに、番組情報を取得することを特徴とする請求項１から３の何れか一項に記載のデジタル放送受信装置。
【請求項５】
前記チューナ部は、デジタル放送の全セグメントを受信するフルセグ受信モードと、デジタル放送からワンセグ用のセグメントのみを受信するワンセグ受信モードを有し、
前記デコーダ部が、ワンセグ放送の番組をデコードして出力する場合、前記番組情報取得部が番組情報を取得するときは前記チューナ部をフルセグ受信モードにし、前記番組情報取得部が番組情報を取得した後は、前記チューナ部をワンセグ受信モードに切り替えることを特徴とする請求項１に記載のデジタル放送受信装置。
【請求項６】
デジタル放送を選局し、番組と番組情報とを含むＴＳ（トランスポートストリーム）を出力するチューナ部と、前記チューナ部により出力されたＴＳに基づいて番組の映像及び音声をデコードし出力するデコーダ部とを備えたデジタル放送受信装置であって、
前記デコーダ部は、ＴＳから移動体向け放送であるワンセグ放送の番組をデコードするワンセグデコード部と、ＴＳから固定テレビ向け放送であるフルセグ放送の番組をデコードするフルセグデコード部を有し、
ＴＳからフルセグ放送及びワンセグ放送の番組に関する番組情報を取得する番組情報取得部を備え、
前記番組情報取得部により取得されたフルセグ放送の番組情報と、ワンセグ放送の番組情報とが異なる場合に、ワンセグ放送を出力中の場合はフルセグ放送をピクチャーインピクチャー表示し、フルセグ放送を出力中の場合はワンセグ放送をピクチャーインピクチャー表示することを特徴とするデジタル放送受信装置。
【請求項７】
前記番組情報は、フルセグ放送及びワンセグ放送の番組の番組名であることを特徴とする請求項６に記載のデジタル放送受信装置。
【請求項８】
前記デコーダ部は、ワンセグ放送の番組をデコードし出力する間は、フルセグデコード部に電力を供給しないことを特徴とする請求項１又は６に記載のデジタル放送受信装置。
【発明の詳細な説明】
【技術分野】
【０００１】
本発明は、デジタル放送を選局し、番組と番組情報とを含むＴＳ（トランスポートストリーム）を出力するチューナ部と、前記チューナ部により出力されたＴＳに基づいて番組の映像及び音声をデコードし出力するデコーダ部とを備えたデジタル放送受信装置に関する。
【背景技術】
【０００２】
従来から、デジタル放送を受信するデジタル放送受信装置が知られており、例えばテレビ放送としてデジタル放送には、主に移動体向けの放送として用いられるワンセグ放送と、固定テレビ向けの放送として用いられるフルセグ放送とがある。
【０００３】
ここで、地上デジタル放送の１チャンネルの帯域は、１３のセグメントに分割されており、そのうちの中心周波数の１セグメントが移動体向けの放送（ワンセグ放送）であり、残りの１２セグメントは固定テレビ向けの放送（フルセグ放送）となる。
【０００４】
通常、このワンセグ放送と、フルセグ放送はサイマル放送といい、同一の番組（放送内容）が送信されている。通常、ワンセグ放送はＨ．２６４により圧縮された低ビットレートのため、低画質ではあるが移動体の受信に適している。他方、フルセグ放送はＭＰＥＧ２により圧縮された高ビットレートのため、移動体の受信には適していないが、高画質の放送を提供している。
【０００５】
したがって、デジタル放送受信装置において、フルセグ放送が受信可能な場合はフルセグ放送を受信し、移動時等フルセグ放送の受信に適さない環境においてはワンセグ放送に切り替えて受信するといった技術が知られている（例えば、特許文献１、特許文献２、特許文献３参照）。これにより、ユーザは可能な限り高画質な放送を受信することが可能となる。
【特許文献１】特開２００７−３６８１５号公報
【特許文献２】特開２００７−４９４１０号公報
【特許文献３】特開２００８−３４９３１号公報
【発明の開示】
【発明が解決しようとする課題】
【０００６】
２００８年４月１日から地上デジタル放送のワンセグの非サイマル放送（固定テレビ向け放送と移動体向け放送の番組を別番組とした放送）が可能となり、今後固定テレビ向け放送と移動体向け放送とで別番組を放送する放送局が増加することが見込まれる。放送局によっては、野球中継の延長をワンセグでのみ行う等、既に非サイマル放送が実施されている。
【０００７】
一方、携帯電話等の携帯機器用に小型化、低消費電力化したフルセグ／ワンセグチューナの開発も活発化してきており、固定受信向け放送を視聴可能な、フルセグ／ワンセグチューナを搭載した携帯機器が今後開発されることが予想される。
【０００８】
この場合、上述の従来の技術は、いずれも同じ番組をより高い受信品質で継続視聴することを目的としているが、テレビ視聴中のユーザは、必ずしも視聴中の番組を継続して視聴することにこだわりを持つとは限らず、むしろ、より興味のある番組の視聴機会が提供されることが、ユーザにとっての利便性を増すこともある。
【０００９】
非サイマル放送が行われている状況で、例えばワンセグである番組を視聴中に、固定テレビ向け放送で、ワンセグ放送の番組と異なった番組が放送されている場合に、その番組がどのようなものであるか知ることができれば、ユーザはその非サイマル放送の番組を見逃すことがなくなるが、従来の技術では、ユーザは能動的に受信モードをワンセグからフルセグに切り換えなければ、非サイマル放送で放送されている番組内容を知ることができないといった問題点があった。
【００１０】
さらに、ワンセグ放送の受信と比較して、フルセグ放送の番組や番組情報の受信には、暗号化の解除を行ったり、ＭＰＥＧ２にてデコード処理を行ったりと、消費電力の大きな処理があるため、携帯型端末において常時フルセグモードで受信するといった使い方は難しかった。
【００１１】
上述した課題に鑑み本発明が目的とするところは、フルセグ放送及びワンセグ放送の番組情報を利用し、現在視聴中の受信モードの番組と異なる番組が他の受信モードで放送されている場合に、他の受信モードの番組情報を報知することにより、ユーザの選択機会が増え、利便性の高いデジタル放送受信装置等を提供することである。
【課題を解決するための手段】
【００１２】
上述した課題に鑑み、本発明のデジタル放送受信装置は、デジタル放送を選局し、番組と番組情報とを含むＴＳ（トランスポートストリーム）を出力するチューナ部と、前記チューナ部により出力されたＴＳに基づいて番組の映像及び音声をデコードし出力するデコーダ部とを備えたデジタル放送受信装置であって、前記デコーダ部は、ＴＳから移動体向け放送であるワンセグ放送の番組をデコードするワンセグデコード部と、ＴＳから固定テレビ向け放送であるフルセグ放送の番組をデコードするフルセグデコード部を有し、ＴＳからフルセグ放送及びワンセグ放送の番組に関する番組情報を取得する番組情報取得部と、前記番組情報取得部により取得されたフルセグ放送の番組情報と、ワンセグ放送の番組情報とが異なる場合に、ワンセグ放送を出力中の場合はフルセグ放送の番組情報を、フルセグ放送を出力中の場合はワンセグ放送の番組情報をそれぞれ報知する報知部と、を備えることを特徴とする。
【００１３】
また、本発明のデジタル放送受信装置において、前記報知部は、フルセグ放送の番組情報と、ワンセグ放送の番組情報とが異なる場合のみ、ワンセグ放送を出力中の場合はフルセグ放送の番組情報を、フルセグ放送を出力中の場合はワンセグ放送の番組情報をそれぞれ報知し、サイマル放送の場合には報知を行わないことを特徴とする。
【００１４】
また、本発明のデジタル放送受信装置において、前記番組情報は、フルセグ放送及びワンセグ放送の番組の番組名であり、前記報知部は、ワンセグ放送を出力中の場合はフルセグ放送の番組名を、フルセグ放送を出力中の場合はワンセグ放送の番組名をそれぞれ報知することを特徴とする。
【００１５】
また、本発明のデジタル放送受信装置において、前記番組情報は、フルセグ放送及びワンセグ放送の番組の放送時間が含まれており、前記番組情報取得部は、現在の時刻が前記番組情報に含まれるフルセグ放送の番組の終了時刻又はワンセグ放送の番組の終了時刻となったときに、番組情報を取得することを特徴とする。
【００１６】
また、本発明のデジタル放送受信装置において、前記チューナ部は、デジタル放送の全セグメントを受信するフルセグ受信モードと、ワンセグ用のセグメントのみを受信するワンセグ受信モードを有し、前記デコーダ部が、ワンセグ放送の番組をデコードして出力する場合、前記番組情報取得部が番組情報を取得するときは前記チューナ部をフルセグ受信モードにし、前記番組情報取得部が番組情報を取得した後は、前記チューナ部をワンセグ受信モードに切り替えることを特徴とする。
【００１７】
本発明のデジタル放送受信装置は、デジタル放送を選局し、番組と番組情報とを含むＴＳ（トランスポートストリーム）を出力するチューナ部と、前記チューナ部により出力されたＴＳに基づいて番組の映像及び音声をデコードし出力するデコーダ部とを備えたデジタル放送受信装置であって、前記デコーダ部は、ＴＳから移動体向け放送であるワンセグ放送の番組をデコードするワンセグデコード部と、ＴＳから固定テレビ向け放送であるフルセグ放送の番組をデコードするフルセグデコード部を有し、ＴＳからフルセグ放送及びワンセグ放送の番組に関する番組情報を取得する番組情報取得部を備え、前記番組情報取得部により取得されたフルセグ放送の番組情報と、ワンセグ放送の番組情報とが異なる場合に、ワンセグ放送を出力中の場合はフルセグ放送をピクチャーインピクチャー表示し、フルセグ放送を出力中の場合はワンセグ放送をピクチャーインピクチャー表示することを特徴とする。
【００１８】
また、本発明のデジタル放送受信装置において、前記番組情報は、フルセグ放送及びワンセグ放送の番組の番組名であることを特徴とする。
【００１９】
また、本発明のデジタル放送受信装置において、前記デコーダ部は、ワンセグ放送の番組をデコードし出力する間は、フルセグデコード部に電力を供給しないことを特徴とする。
【発明の効果】
【００２０】
本発明によれば、デジタル放送を選局し、番組と番組情報とを含むＴＳを出力するチューナ部と、チューナ部により出力されたＴＳに基づいて番組の映像及び音声をデコードし出力するデコーダ部とを備えたデジタル放送受信装置であって、ＴＳからフルセグ放送及びワンセグ放送の番組に関する番組情報を取得し、フルセグ放送の番組情報と、ワンセグ放送の番組情報とが異なる場合に、ワンセグ放送を出力中の場合はフルセグ放送の番組情報を、フルセグ放送を出力中の場合はワンセグ放送の番組情報をそれぞれ報知することができる。したがって、フルセグ放送と、ワンセグ放送の番組が異なる場合（いわゆる、非サイマル放送の場合）に、ユーザは現在視聴中の番組の番組情報と併せて、他の番組情報を知ることができる。したがって、ユーザの視聴番組の選局の機会が増え、利便性の高いデジタル放送受信装置を提供することができるようになる。
【００２１】
ここで、番組情報の一例として番組名が報知されることにより、ユーザがより選局をしやすいデジタル放送受信装置を提供することができる。
【００２２】
また、本発明によれば、現在の時刻がフルセグ放送の番組の終了時刻又はワンセグ放送の番組の終了時刻となったときに、番組情報を取得することとなる。したがって、番組情報を常時取得する必要がなくなるため、デコード部等の消費電力を抑えることが可能となる。
【００２３】
また、本発明によれば、デコーダ部が、ワンセグ放送の番組をデコードして出力する場合、番組情報を取得するときはチューナ部をフルセグ受信モードにし、番組情報を取得した後は、チューナ部をワンセグ受信モードに切り替えることとなる。したがって、消費電力の大きいフルセグモード（フルセグデコード部）の稼働時間をおさせることができ、消費電力の小さいデジタル放送受信装置を提供することが可能となる。
【００２４】
さらに、本発明によれば、デジタル放送を選局し、番組と番組情報とを含むＴＳを出力するチューナ部と、チューナ部により出力されたＴＳに基づいて番組の映像及び音声をデコードし出力するデコーダ部とを備えたデジタル放送受信装置であって、ＴＳからフルセグ放送及びワンセグ放送の番組に関する番組情報を取得し、フルセグ放送の番組情報と、ワンセグ放送の番組情報とが異なる場合に、ワンセグ放送を出力中の場合はフルセグ放送をピクチャーインピクチャー表示し、フルセグ放送を出力中の場合はワンセグ放送の番組情報をピクチャーインピクチャー表示することとなる。したがって、非サイマル放送の場合にはワンセグ放送の番組も、フルセグ放送の番組も具体的に確認することが可能となり、選局の機会が増え利便性の高いデジタル放送受信装置を提供することができるようになる。
【００２５】
また、本発明によれば、デコーダ部は、ワンセグ放送の番組をデコードし出力する間は、フルセグデコード部に電力を供給しないこととなる。したがって、消費電力の小さいデジタル放送受信装置を提供することができるようになる。
【発明を実施するための最良の形態】
【００２６】
以下添付図面を参照しながら、本発明の実施の形態について説明し、本発明の理解に供する。尚、以下の実施の形態は、本発明を具体化した一例であって、本発明の技術的範囲を限定する性格のものではない。
【００２７】
〔実施の形態〕
続いて、本発明のデジタル放送受信装置を、携帯電話に適用した場合を例にとって説明する。
【００２８】
［１．機能構成］
図１は、本発明のデジタル放送受信装置を、適用した携帯電話１の機能構成を説明するための図である。図１に示す用に、携帯電話１は、無線部１０と、通信制御部１２と、記憶部２０と、制御部３０と、音声符号化部４０と、マイク４２と、音声復号部４４と、スピーカ４６と、キー入力部４８と、チューナ部５０と、メディアデコーダ部６０と、表示部７０と、スピーカ８０とを備えており、無線部１０には外部アンテナＡＮＴ１が、チューナ部５０には外部アンテナＡＮＴ２が接続されている。
【００２９】
携帯電話１は、携帯電話として動作する機能部（主に、外部アンテナＡＮＴ１、無線部１０、通信制御部１２、記憶部２０、制御部３０、音声符号化部４０、マイク４２、音声復号部４４、スピーカ４６及びキー入力部４８）と、デジタル放送受信装置として動作する機能部（主に、外部アンテナＡＮＴ２、チューナ部５０、制御部３０、キー入力部４８、メディアデコーダ部６０、表示部７０、スピーカ８０）とが含まれている。まず、携帯電話として動作する機能部について説明する。
【００３０】
無線部１０は、携帯電話用の無線通信を行う機能部であり、外部アンテナＡＮＴ１を介して携帯電話の通信用基地局と通信を行う。無線部１０は、通信制御部１２により通信が制御され、携帯電話全体として制御部３０により制御される。
【００３１】
ここで、携帯通話において、ユーザにより入力された音声は、マイク４２により入力され、音声符号化部４０により音声データに符号化された後に制御部３０に入力される。そして、制御部３０は、通信制御部１２、無線部１０を介して入力された音声データを通信用基地局に送信する。
【００３２】
また、通信用基地局から受信された音声データは、音声復号部４４により復号され、スピーカ４６から音声信号として出力される。このように、携帯電話１は、通常の携帯電話としての機能を実現できるが、本発明に直接関係のない部分のため、詳細な説明を省略する。
【００３３】
キー入力部４８は、ユーザからの操作指示の入力を受け付けるための機能部である。キー入力部４８からは、例えば携帯電話の発着信操作や、デジタル放送の受信操作、選局操作等が入力される。
【００３４】
続いて、デジタル放送受信装置として動作する機能部について説明する。まず、チューナ部５０は、外部アンテナＡＮＴ２を介して放送局からデジタル放送波を受信し、所望する放送局のＴＳ（トランスポートストリーム）を選局する。選局されたＴＳは、メディアデコーダ部６０に入力され、デコードされることにより映像信号と、音声信号として出力される。ここで、映像信号は表示部７０に、音声信号はスピーカ８０にそれぞれ出力されることとなる。
【００３５】
メディアデコーダ部６０について詳細に説明する。メディアデコーダ部６０は、ＴＳＤＥＭＵＸ６０２と、Ｈ．２６４デコード６０４と、デスクランブル６０６と、Ｂ−ＣＡＳカード６０８と、ＭＰＥＧ２デコード６１０と、表示処理部６１２と、ＡＡＣデコード６１４と、音声再生処理部６１６との機能を有している。ここで、メディアデコーダ部を大きく分けるとワンセグデコード部と、フルセグデコード部に分かれている。フルセグデコーダ部は、特に消費電力が大きく、フルセグ受信時のも利用するものである。例えば、図１において、フルセグデコーダ部は、デスクランブル６０６と、ＭＰＥＧ２デコード６１０等を含んで構成されている。
【００３６】
ＴＳＤＥＭＵＸ６０２は、制御部３０からの制御に基づいて、パケットＩＤ（ＰＩＤ）によるＴＳの分離を行う。分離されたＴＳは、Ｈ．２６４デコード６０４（ワンセグ用映像データ）と、デスクランブル６０６（フルセグ用データ）と、ＡＡＣデコード６１４（ワンセグ用音声データ）と、制御部（後述のＰＡＴ、ＰＭＴ、ＥＩＴ等の制御データ）とに出力される。
【００３７】
Ｈ．２６４デコード６０４は、移動体向けのデジタル放送（ワンセグ放送）の映像データのデコードを行う機能部である。ＴＳＤＥＭＵＸ６０２から入力された映像のＥＳから、ワンセグ放送の映像信号をデコードし、表示処理部６１２に出力する。
【００３８】
デスクランブル６０６は、固定テレビ向けのデジタル放送（フルセグ放送）の映像及び音声データの暗号化を解除する機能部である。ここで、デスクランブル６０６が、フルセグ放送の暗号化を解除する場合の暗号解除鍵が、Ｂ−ＣＡＳカード６０８により提供されることとなる。そして、暗号化が解除された映像データがＭＰＥＧ２デコード６１０に、暗号化が解除された音声データがＡＡＣデコード６１４に出力される。
【００３９】
なお、フルセグ放送については、デスクランブル６０６による暗号化解除処理が必ず必要となるが、本発明に関係しないため、その詳細な説明は省略する。
【００４０】
ＭＰＥＧ２デコード６１０は、固定テレビ向けのデジタル放送（フルセグ放送）の映像データのデコードを行う機能部である。デスクランブル６０６から入力された映像データをデコードし、映像信号として表示処理部６１２に出力する。
【００４１】
表示処理部６１２は、入力された映像信号を表示部７０に出力する機能部である。図１の場合、ワンセグ放送の映像信号はＨ．２６４デコード６０４から入力され、フルセグ放送の映像信号はＭＰＥＧ２デコード６１０から入力される。
【００４２】
ＡＡＣデコード６１４は、音声データのデコードを行う機能部である。ワンセグ放送の音声データはＴＳＤＥＭＵＸ６０２から、フルセグ放送の音声データはデスクランブル６０６からそれぞれ入力され、音声信号にデコードして音声再生処理部６１６に出力する。
【００４３】
音声再生処理部６１６は、ＡＡＣデコード６１４によりデコードされた音声信号をスピーカ８０に出力する機能部である。
【００４４】
また、記憶部２０は、番組情報テーブル２０２を記憶している。番組情報テーブル２０２は、現在放送中の番組に関する情報（番組情報）を記憶しているテーブルである。本実施形態においては、一例として図２に示す用に、現在放送中の番組名と終了時刻とについて、ワンセグ放送及びフルセグ放送についてそれぞれ記憶している。ここで、携帯電話１が、番組情報を取得する仕組みについて説明する。
【００４５】
［２．番組情報取得の仕組み］
番組情報を取得する方法としては、本実施形態においては、受信されたデジタル放送波から選局されたＴＳ（トランスポートストリーム）から、番組及び番組情報を取得することとして説明する。
【００４６】
図３は、ＴＳについて説明するための図である。ＴＳを構成する各パケットには、識別子としてＰＩＤが付加されている。ＰＩＤが同一である場合は一連の信号として判定され、ＰＩＤが異なっている場合は異なる信号として判定される。ＰＩＤは、パケットヘッダに含まれており、１３ビットでパケットの種別を判定することができる。
【００４７】
ここで、ＰＩＤが「０ｘ００」のパケットが、ＰＡＴ（Program Association Table）を構成している。ＰＡＴは、そのＴＳに含まれる番組と、そのＰＭＴ（Program Map Table）のＰＩＤとが対応づけられている。
【００４８】
例えば、図３のＴＳには、番組１と番組２とが含まれており、番組１のＰＭＴは、ＰＩＤ「Ｚ」のパケットに、番組１を構成するＥＳ（Elementary Stream）のＰＩＤが記載されている。そして、ＰＩＤ「Ｚ」のパケットを参照することにより、映像＿ＰＩＤ、音声＿ＰＩＤ及びデータ＿ＰＩＤのＰＩＤがわかり、各ＥＳを取得することができる。
【００４９】
また、ＴＳにおけるＰＩＤが「０ｘ１２」「０ｘ２７」のパケットが、番組情報としてＥＩＴ（Event Information Table）を構成している。ＥＩＴは、ＴＳに含まれるサービス情報（ＳＩ：Service Information）の一種で、デジタル放送の番組の名称、放送日時、内容の説明等の各種番組に関する情報が記載されている。ＥＩＴには、Ｌ−ＥＩＴ（携帯受信向け）、Ｍ−ＥＩＴ（移動受信向け）、Ｈ−ＥＩＴ（固定受信向け）があり、ワンセグ放送に関する番組情報はＬ−ＥＩＴに記載されている。ここで、本実施形態に関連するＨ−ＥＩＴのＰＩＤは「０ｘ１２」、Ｌ−ＥＩＴのＰＩＤは「０ｘ２７」として説明する。
【００５０】
ここで、Ｌ−ＥＩＴには、現在の番組を示すＬ−ＥＩＴ  ｐｒｅｓｅｎｔ（Ｌ−ＥＩＴ（ｐ））と、次番組を示すＬ−ＥＩＴ  ｆｏｌｌｏｗｉｎｇ（Ｌ−ＥＩＴ（ｆ））と、それ以降の番組を示すＬ−ＥＩＴ  ａｆｔｅｒ（Ｌ−ＥＩＴ（ａｆｔｅｒ））がある。
【００５１】
また、Ｈ−ＥＩＴには、現在の番組を示すＨ−ＥＩＴ  ｐｒｅｓｅｎｔ（Ｈ−ＥＩＴ（ｐ））と、次番組を示すＨ−ＥＩＴ  ｆｏｌｌｏｗｉｎｇ（Ｈ−ＥＩＴ（ｆ））と、それ以降の番組を示すＨ−ＥＩＴ  ｓｃｈｅｄｕｌｅｄ（Ｈ−ＥＩＴ（ｓｃｈｅｄｕｌｅｄ））がある。
【００５２】
ＴＳからＬ−ＥＩＴ（ｐ）を取得することにより、現在放送中の移動体向け放送（ワンセグ放送）の番組情報と、Ｈ−ＥＩＴ（ｐ）を取得することにより、現在放送中の固定テレビ向け放送（フルセグ放送）の番組情報が取得できることとなる。
【００５３】
つづいて、図１の携帯電話１を利用した場合におけるフルセグ放送／ワンセグ放送受信処理についての実施例について説明する。
【００５４】
［３．第１実施例］
まず、第１実施例について説明する。第１実施例は、現在放送中の番組が、ワンセグ放送とフルセグ放送で異なる場合に、他方の番組名を表示画面に報知する場合の例について説明する。
【００５５】
［３．１  処理の流れ］
まず、携帯電話１の処理の流れについて説明する。まず、携帯電話１において、受信モードに対応したデジタル放送受信処理を起動する。このときに、ユーザが固定テレビ向け放送であるフルセグ放送の番組を視聴したい場合には視聴モードとして「フルセグ視聴モード」を起動し、移動体向け放送であるワンセグ放送の番組を視聴したい場合には視聴モードとして「ワンセグ視聴モード」を起動する。視聴モードが「ワンセグモード」のときには、チューナは「フルセグ受信モード」で起動される。
【００５６】
ここで、視聴モードを選択する方法の一例として、ＡＲＩＢ  ＴＲＢ−１４で規定される３桁番号入力による選局方法が、携帯電話１に実装されているとする。すなわち、制御部３０が３桁の番号から固定テレビ向け放送（フルセグ放送）の選局か、移動体向け放送（ワンセグ放送）の選局かを判定し、視聴中であっても視聴モードを切り替え可能な端末である。
【００５７】
そして、「フルセグ視聴モード」が起動された場合には図４に示すフルセグ受信処理が、「ワンセグ視聴モード」が起動された場合には図５に示すワンセグ受信処理が、それぞれ実行される。以下、処理について説明する。
【００５８】
［２．１．１  フルセグ受信処理］
図４の動作フローを用いて、フルセグ受信処理について説明する。まず、制御部３０は、チューナ部５０を「フルセグ受信モード」と、メディアデコーダ部６０を「フルセグモード」として動作するようにそれぞれ初期化する（ステップＳ１００）。メディアデコーダ部６０の「フルセグモード」とは、デスクランブル６０６、Ｂ−ＣＡＳカード６０８、ＭＰＥＧ２デコード部６１０、表示処理部６１２、ＡＡＣデコード６１４、音声再生処理部６１６が動作し、フルセグの映像／音声を提示可能な状態のことである。
【００５９】
つづいて、ＰＡＴを受信し、所望のサービスのＰＭＴのＰＩＤを取得する（ステップＳ１０２）。そして、ステップＳ１０２より取得されたＰＩＤに基づきＰＭＴを受信し、ＰＭＴ記載内容に基づいて各ＥＳのフィルタを開始する（ステップＳ１０４）。これにより、各映像データ、音声データ及びデータ放送が取得されることとなる。ここで、ＰＡＴ、ＰＭＴの周期は放送局により異なるが、典型的には１００ｍｓである。
【００６０】
ここで、ＴＳからＬ−ＥＩＴ（ｐ）を取得し、現在放送中のワンセグ放送の番組名及びワンセグ番組放送時間（終了時刻）を取得し、番組情報テーブル２０２に保存する（ステップＳ１０６）。なお、本実施形態においては、説明の都合上、番組情報の中から番組名、終了時刻を取得することとして説明するが、番組情報として取得される情報はこれに限定されないことは勿論である。ここで、Ｌ−ＥＩＴ（ｐ）の周期は放送局により異なるが、典型的には１ｓである。
【００６１】
同様に、ＴＳからＨ−ＥＩＴ（ｐ）を取得し、現在放送中のフルセグ放送の番組名及びフルセグ番組放送時間（終了時刻）を取得し、番組情報テーブル２０２に保存する（ステップＳ１０８）。ここで、Ｈ−ＥＩＴ（ｐ）の周期は放送局により異なるが、典型的には１ｓである。
【００６２】
ここで、番組情報テーブル２０２に記憶されているワンセグ番組名と、フルセグ番組名とが異なる場合（非サイマル放送）は、ワンセグ番組名を表示部７０に表示する（ステップＳ１１０：Ｎｏ→ステップＳ１１２）。そして、フルセグ放送の映像／音声を出力する（ステップＳ１１４）。
【００６３】
なお、ここでワンセグ番組名を表示するとしているが、現在受信中のフルセグ放送の番組名を表示するか否かはユーザの指示による。すなわち、ユーザが「番組名を表示する」と設定している場合には、フルセグ放送の番組名は併せて表示されることとなる。
【００６４】
また、フルセグ放送の番組名及びワンセグ放送の番組名の表示方法としては種々の方法が考えられる。例えば、所定の表示領域に交互に表示させたり、スクロール表示させて表示させたりすることができる。また、所定の表示領域に並列に表示させることとしても良い。
【００６５】
他方、ステップＳ１１０において、ワンセグ番組名とフルセグ番組名とが同じ場合（サイマル放送の場合）、ワンセグ番組名を表示することなく、フルセグ映像／音声を提示する（ステップＳ１１０；Ｙｅｓ→ステップＳ１１４）。
【００６６】
そして、現在時刻がワンセグ放送の終了時刻か、フルセグ放送の終了時刻となった場合には（ステップＳ１１６；Ｙｅｓ）、他の操作入力がなされたか否か判定する。ここで、他の操作入力がされていない場合には（ステップＳ１１８；Ｎｏ）、再度ステップＳ１０６から処理を繰り返し実行する。
【００６７】
［３．１．２  ワンセグ受信処理］
続いて、図５において、ワンセグ受信処理について説明する。まず、制御部３０は、チューナ部５０を「フルセグ受信モード」と、メディアデコーダ部６０を「ワンセグモード」として動作するようにそれぞれ初期化する（ステップＳ２００）。ここで、チューナ部５０をフルセグ受信モードとして初期化するのは、ステップＳ２０６において、フルセグ放送の番組情報を取得するためである。ここで、メディアデコーダ部６０の「ワンセグモード」とは、Ｈ．２６４デコード６０４、表示処理部６１２、ＡＡＣデコード６１４、音声再生処理部６１６が動作し、ワンセグの映像／音声を提示可能な状態のことである。
【００６８】
また、メディアデコーダ部６０を「ワンセグモード」として初期化した場合、ワンセグ放送の受信に必要ない機能部（デスクランブル６０６、ＭＰＥＧ２デコード６１０、Ｂ−ＣＡＳカード６０８）に電力を供給する必要が無くなるため、消費電力を抑えることができる。
【００６９】
つづいて、ＰＭＴを受信し、ＰＭＴ記載内容に基づいて各ＥＳのフィルタを開始する（ステップＳ２０２）。ここで、ワンセグＰＭＴの周期は放送局により異なるが、典型的には２００ｍｓである。
【００７０】
ここで、ＴＳからＬ−ＥＩＴ（ｐ）を取得し、現在放送中のワンセグ放送の番組名及び終了時刻を取得し、番組情報テーブル２０２に保存する（ステップＳ２０４）。ここで、Ｌ−ＥＩＴ（ｐ）の周期は放送局により異なるが、典型的には１ｓである。
【００７１】
同様に、ＴＳからＨ−ＥＩＴ（ｐ）を取得し、現在放送中のフルセグ放送の番組名及び終了時刻を取得し、番組情報テーブル２０２に保存する（ステップＳ２０６）。ここで、Ｈ−ＥＩＴ（ｐ）の周期は放送局により異なるが、典型的には１ｓである。
【００７２】
そして、チューナ部５０を「ワンセグ受信モード」に変更する（ステップＳ２０８）。これは、フルセグ放送の番組情報について取得済みとなったためである。ここで、「ワンセグ受信モード」に切り替えることにより、消費電力を抑えることができるようになる。
【００７３】
ここで、番組情報テーブル２０２に記憶されているワンセグ番組名と、フルセグ番組名とが異なる場合は（非サイマル放送）、フルセグ番組名を表示部７０に表示する（ステップＳ２１０：Ｎｏ→ステップＳ２１２）。そして、フルセグ放送の映像／音声を出力する（ステップＳ２１４）。
【００７４】
他方、ステップＳ２１０において、ワンセグ番組名とフルセグ番組名とが同じ場合（サイマル放送の場合）、ワンセグ番組名を表示することなく、フルセグ放送の映像／音声を出力する（ステップＳ２１０；Ｙｅｓ→ステップＳ２１４）。
【００７５】
そして、現在時刻がワンセグ放送の終了時刻か、フルセグ放送の終了時刻となった場合には（ステップＳ２１６；Ｙｅｓ）、他の操作入力がなされたか否か判定する。ここで、他の操作入力がされていない場合には（ステップＳ２１８；Ｎｏ）、再度ステップＳ１０６から処理を繰り返し実行する。
【００７６】
［３．２  動作例］
続いて、本実施例の動作例について図６を用いて説明する。図６（ａ）は、携帯電話１において、デジタル放送を表示させた一例とする表示画面Ｗ１００であり、フルセグ放送とワンセグ放送との番組が同一の場合について説明する図である。
【００７７】
表示画面Ｗ１００には、領域Ｒ１００に現在の視聴モードに対応する放送（本図においてはフルセグ放送）が表示され、領域Ｒ１０２には受信している放送局の情報（放送局名）が表示されている。また、領域Ｒ１０４は、現在受信している放送の番組情報（番組名）が表示されている。
【００７８】
図６（ｂ）は、フルセグ放送とワンセグ放送との番組が異なる場合の表示画面Ｗ１１０である。フルセグ放送と、ワンセグ放送との番組が異なる場合、領域Ｒ１１０にフルセグ放送における番組名と、ワンセグ放送における番組名とが随時表示されることとなる。
【００７９】
このように、本実施例によれば、フルセグ放送又はワンセグ放送受信中において、フルセグ放送とワンセグ放送とで異なる番組が放送されている場合には、表示部にそれぞれの番組情報を報知することにより、ユーザは所望する番組を選択することが可能となる。
【００８０】
なお、番組情報を報知する方法としては種々の方法が考えられる。例えば、フルセグ放送とワンセグ放送との番組情報を並列に表示させることとしても良いし、現在受信している番組と異なる番組情報のみを表示させることとしても良い。
【００８１】
また、フルセグ放送の番組情報と、ワンセグ放送の番組情報とで異なる文字色を利用して表示させたり、異なる大きさで表示させたりしても良い。
【００８２】
なお、ここまでの説明では、現在番組のＥＩＴから得られる情報によってサイマル放送されていないときの番組名を表示する動作を説明してきたが、この場合、サイマル放送でない番組名を表示するタイミングは、現在番組のＥＩＴの更新タイミングとなるため、サイマル放送が終了する時刻とほぼ同じになる。これに対し、次番組のＥＩＴ（Ｈ−ＥＩＴ（ｆ）とＬ−ＥＩＴ（ｆ））の比較を行うことで、現在番組のＥＩＴ更新前に、サイマル放送でなくなる時刻を知ることができ、サイマル放送終了前の任意の時刻に、次の始まるサイマル放送でない番組情報の表示を行うことも可能である。
【００８３】
［４．第２実施例］
つづいて、第２実施例について説明する。第２実施例は、現在受信中の番組を出力中に、他の放送形式の番組を小窓表示する、いわゆるＰｉｎＰ表示（ピクチャーインピクチャ表示）する場合の例について説明する。
【００８４】
［４．１  処理の流れ］
まず、携帯電話１の処理流れについて説明する。携帯電話１において、デジタル放送受信処理を起動する。このときに、ユーザが固定テレビ向け放送であるフルセグの番組を視聴したい場合には「フルセグ視聴モード」を起動し、移動体向け放送であるワンセグの番組を視聴したい場合には「ワンセグ視聴モード」を起動する。
【００８５】
そして、「フルセグ視聴モード」が起動された場合には図７に示すフルセグ受信処理が、「ワンセグ視聴モード」が起動された場合には図８に示すワンセグ受信処理が、それぞれ実行される。以下、処理について説明する。
【００８６】
［４．１．１  フルセグ受信処理］
図７の動作フローを用いて、フルセグ受信処理について説明する。まず、制御部３０は、チューナ部５０を「フルセグ受信モード」と、メディアデコーダ部６０を「フルセグモード」として動作するようにそれぞれ初期化する（ステップＳ３００）。
【００８７】
つづいて、ＰＡＴを受信し、所望のサービスのＰＭＴのＰＩＤを取得する（ステップＳ３０２）。そして、ステップＳ３０２より取得されたＰＩＤに基づきＰＭＴを受信し、ＰＭＴ記載内容に基づいて各ＥＳのフィルタを開始する（ステップＳ３０４）。
【００８８】
ここで、ＴＳからＬ−ＥＩＴ（ｐ）を取得し、現在放送中のワンセグ放送の番組名及び終了時刻を取得し、番組情報テーブル２０２に保存する（ステップＳ３０６）。
【００８９】
同様に、ＴＳからＨ−ＥＩＴ（ｐ）を取得し、現在放送中のフルセグ放送の番組名及び終了時刻を取得し、番組情報テーブル２０２に保存する（ステップＳ３０８）。
【００９０】
ここで、番組情報テーブル２０２に記憶されているワンセグ番組名と、フルセグ番組名とが同じ場合には（ステップＳ３１０；Ｙｅｓ）、フルセグの映像及び音声を表示し（ステップＳ３１６）、ステップＳ３３０に処理を移行する。
【００９１】
他方、番組情報テーブル２０２に記憶されているワンセグ番組名と、フルセグ番組名とが異なる場合は（ステップＳ３１０；Ｎｏ）、メディアデコーダ部６０を、フルセグ／ワンセグ可読状態とする（ステップＳ３１２）。ここで、フルセグ／ワンセグ可読状態とは、チューナ部５０から入力されたＴＳから、フルセグに対応するＴＳも、ワンセグに対応するＴＳも取得できる状態を言う。そして、ＴＳからワンセグのＰＭＴを受信し、ＰＭＴ記載内容に基づいてワンセグの各ＥＳのフィルタを開始する（ステップＳ３１４）。
【００９２】
つづいて、フルセグ放送の映像及び音声を出力する（ステップＳ３１８）。そして、ワンセグ映像及び音声をＰｉｎＰにて出力し、表示タイマーを開始する（ステップＳ３２０）。ここで、表示タイマーが所定の時間を満了した場合には（ステップＳ３２２；Ｙｅｓ）、ワンセグ放送のＰｉｎＰ表示を終了し、フルセグの映像及び音声のみを出力する（ステップＳ３２４）。
【００９３】
そして、ワンセグの各ＥＳのフィルタを停止し（ステップＳ３２６）、メディアデコーダ部６０を、フルセグ／ワンセグ可読から、フルセグモードにする（ステップＳ３２８）。
【００９４】
そして、現在時刻がワンセグ放送の終了時刻か、フルセグ放送の終了時刻となった場合には（ステップＳ３３０；Ｙｅｓ）、他の操作入力がなされたか否か判定する。ここで、他の操作入力がされていない場合には（ステップＳ３３２；Ｎｏ）、再度ステップＳ３０６から処理を繰り返し実行する。
【００９５】
［４．１．２  ワンセグ受信処理］
続いて、図８において、ワンセグ受信処理について説明する。まず、制御部３０は、チューナ部５０を「フルセグ受信モード」と、メディアデコーダ部６０を「ワンセグモード」として動作するようにそれぞれ初期化する（ステップＳ４００）。
【００９６】
つづいて、ＰＭＴを受信し、ＰＭＴ記載内容に基づいて各ＥＳのフィルタを開始する（ステップＳ４０２）。
【００９７】
ここで、ＴＳからＬ−ＥＩＴ（ｐ）を取得し、現在放送中のワンセグ放送の番組名及び終了時刻を取得し、番組情報テーブル２０２に保存する（ステップＳ４０４）。
【００９８】
同様に、ＴＳからＨ−ＥＩＴ（ｐ）を取得し、現在放送中のフルセグ放送の番組名及び終了時刻を取得し、番組情報テーブル２０２に保存する（ステップＳ４０６）。
【００９９】
ここで、ワンセグ番組名と、フルセグ番組名とが同じか否かを判定する（ステップＳ４０８）。ワンセグ番組名と、フルセグ番組名とが同じ場合には（ステップＳ４０８；Ｙｅｓ）、ワンセグの映像及び音声を出力し（ステップＳ４１６）、ステップＳ４３２に処理を移行する。
【０１００】
他方、ワンセグ番組名と、フルセグ番組名とが異なる場合には（ステップＳ４０８；Ｎｏ）、メディアデコーダ部６０をフルセグ／ワンセグデコード可読状態とする（ステップＳ４１０）。そして、ＰＡＴを受信し、所望のサービスのＰＭＴのＰＩＤを取得する（ステップＳ４１２）。そして、フルセグＰＭＴを受信し、各ＥＳのフィルタを開始する（ステップＳ４１４）。
【０１０１】
つづいて、ワンセグ放送の映像及び音声を出力する（ステップＳ４１８）。そして、フルセグ放送の映像及び音声をＰｉｎＰにて出力し、表示タイマーを開始する（ステップＳ４２０）。ここで、表示タイマーが所定の時間を満了した場合には（ステップＳ４２２；Ｙｅｓ）、フルセグ放送のＰｉｎＰ表示を終了し、ワンセグ放送の映像及び音声のみを提示する（ステップＳ４２４）。
【０１０２】
そして、フルセグの各ＥＳのフィルタを停止し（ステップＳ４２６）、チューナ部５０を「ワンセグ受信モード」に変更（ステップＳ４２８）、メディアデコーダ部６０を「ワンセグモード」に変更する（ステップＳ４３０）。ここで、チューナ部５０及びメディアデコーダ部６０を「ワンセグモード」に切り替えることにより、消費電力を抑えることができる。
【０１０３】
そして、現在時刻がワンセグ放送の終了時刻か、フルセグ放送の終了時刻となった場合には（ステップＳ４３２；Ｙｅｓ）、他の操作入力がなされたか否か判定する（ステップＳ４３４）。ここで、他の操作入力がされていない場合には（ステップＳ４３４；Ｎｏ）、再度ステップＳ４０４から処理を繰り返し実行する。
【０１０４】
［４．２  動作例］
つづいて、本実施例の動作例について図９を用いて説明する。図９（ａ）は、携帯電話１において、デジタル放送をフル表示させた一例とする表示画面Ｗ２００であり、フルセグ放送が表示部全体に表示されている。
【０１０５】
ここで、フルセグ放送と、ワンセグ放送とが異なる場合、図９（ｂ）の領域Ｒ２１０に、ワンセグ放送がＰｉｎＰ表示されている。これにより、ユーザは、フルセグ放送とワンセグ放送とでどのような番組が放送されているかを視認することができ、所望する番組を適切に選局できることとなる。
【０１０６】
第２実施例においては、サイマル放送でない放送のＰｉｎＰ表示を行うため、ユーザがサイマル放送でなくなったことを知るタイミングは、サイマル放送終了後となるが、この実施例に、第１実施例に記載したＥＩＴ（ｆ）による比較処理を追加し、非サイマル放送が始まる前に、サイマル放送ではない番組名をユーザに通知することも可能である。
【０１０７】
［５．変形例］
上述した実施形態においては、本発明のデジタル放送受信装置の一つとして携帯電話に適用した場合について説明したが、本発明が適用できる装置はこれに限定されるものではない。即ち、デジタル放送受信装置の機能を備えた電子辞書、コンピュータ、カーナビゲーション等の種々の電子機器に適用可能なことは勿論である。
【０１０８】
また、上述した実施形態において、フルセグ放送とワンセグ放送との場合について説明したが、同種の放送であれば適用可能であることは勿論である。
【０１０９】
例えば、一つのチャンネルで複数のサービスが放送されることがあるデジタル放送で、ある時刻以降、単一サービス（番組）から複数サービス（番組）に切り替わる放送が知られている。
【０１１０】
例えば、図１０（ａ）は、フルセグ放送又はワンセグ放送において、１０時から１２時までの間は単一サービス（フルセグ放送ならＨＤ）１本であったが、１２時以降複数サービス（フルセグ放送ならＳＤ）に切り替わる場合がある。このとき、１２時以降、１０１ｃｈを受信している場合に、１０２ｃｈ、１０３ｃｈの番組情報を報知するといったことも可能である。
【０１１１】
また、図１０（ｂ）のように、フルセグ放送又はワンセグ放送において、１０時から１２時までの間は複数サービス（フルセグ放送ならＳＤ）で同一の番組を放送中に、１２時以降、複数サービスのうち１本のみで番組が継続する場合、イベントリレー機能により、１２時以降は１０１ｃｈが受信されることとなる。この場合、１０２ｃｈ、１０３ｃｈの番組情報を報知するといったことが可能である。
【０１１２】
この場合における処理の流れについて、図１１を用いて簡単に説明する。まず、更新されたＮＩＴ（Network Information Table）を受信し、提供されている各サービスのservice_idを取得する（ステップＳ５００）。
【０１１３】
つづいて、更新されたＳＤＴ（Service Description Table）を受信し、提供されている各サービスのservice_idを受信する（ステップＳ５０２）。そして、追加されたＨ−ＥＩＴ（ｐ）を受信する（ステップＳ５０４）。
【０１１４】
ここで、サービス１のＨ−ＥＩＴ（ｐ）を受信し、第１番組名として保存する（ステップＳ５０６）。同様に、サービス２のＨ−ＥＩＴ（ｐ）を受信し、第２番組名として保存する（ステップＳ５０８）。そして、第１番組名と第２番組名とが同一ではない場合は（ステップＳ５１０；Ｎｏ）、第２番組名を表示する（ステップＳ５１２）。
【０１１５】
また、サービス３のＨ−ＥＩＴ（ｐ）を受信し、第３番組名として保存する（ステップＳ５１４）。そして、第１番組名と第３番組名とが同一ではない場合は（ステップＳ５１６；Ｎｏ）、第３番組名を表示する（ステップＳ５１８）。
【０１１６】
別の例として、高校野球中継のように、ひとつの番組が別の放送局の番組にイベントリレーされたときに、イベントリレー先の放送局で複数のサービスが行われていた場合に、現在視聴中のサービス以外の番組情報を表示することも可能である。
【０１１７】
このように、本発明は、デジタル放送及びワンセグ放送と同様なサービスを適用している放送波であれば、適用可能となる。
【０１１８】
また、上述の実施形態では、サイマル放送の判断をＥＩＴから取得される番組名により行っているが、必ずしも番組名で判断する必要はなく、他の情報によって判断しても構わない。例えば、今後ＥＩＴにサイマル放送を示すフラグのような情報が追加された場合は、そのような情報により判断することも可能である。
【０１１９】
また、上述した実施形態では、番組情報をデジタル放送から取得することとして説明したが、例えばネットワークを介して、番組情報配信サーバから取得することとしても良い。
【図面の簡単な説明】
【０１２０】
【図１】本実施形態における携帯電話の機能構成を説明する為の図である。
【図２】本実施形態における番組情報テーブルのデータ構成の一例を示す図である。
【図３】デジタル放送について説明するための図である。
【図４】第１実施例におけるフルセグ受信処理について説明するための図である。
【図５】第１実施例におけるワンセグ受信処理について説明するための図である。
【図６】第１実施例における動作例を説明するための図である。
【図７】第２実施例におけるフルセグ受信処理について説明するための図である。
【図８】第２実施例におけるワンセグ受信処理について説明するための図である。
【図９】第２実施例における動作例を説明するための図である。
【図１０】変形例について説明するための図である。
【図１１】変形例について説明するための図である。
【符号の説明】
【０１２１】
１  携帯電話
１０  無線部
１２  通信制御部
２０  記憶部
２０２  番組情報テーブル
３０  制御部
４０  音声符号化部
４２  マイク
４４  音声復号部
４６  スピーカ
４８  キー入力部
５０  チューナ部
６０  メディアデコーダ部
６０２  ＴＳＤＥＭＵＸ
６０４  Ｈ．２６４デコード
６０６  デスクランブル
６０８  Ｂ−ＣＡＳカード
６１０  ＭＰＥＧ２デコード
６１２  表示処理部
６１４  ＡＡＣデコード
６１６  音声処理部
７０  表示部
８０  スピーカ
【図１】
2010045494.tif 000003
【図２】
2010045494.tif 000004
【図３】
2010045494.tif 000005
【図４】
2010045494.tif 000006
【図５】
2010045494.tif 000007
【図６】
2010045494.tif 000008
【図７】
2010045494.tif 000009
【図８】
2010045494.tif 000010
【図９】
2010045494.tif 000011
【図１０】
2010045494.tif 000012
【図１１】
2010045494.tif 000013